【手続補正書】
【提出日】平成20年10月17日(2008.10.17)
【手続補正１】
【補正対象書類名】明細書
【補正対象項目名】発明の名称
【補正方法】変更
【補正の内容】
【発明の名称】ディスクドライブ及びヘッドアセンブリ
【手続補正２】
【補正対象書類名】特許請求の範囲
【補正対象項目名】全文
【補正方法】変更
【補正の内容】
【特許請求の範囲】
【請求項１】
基板と、該基板上の磁性材料の概ね同心円の複数のデータトラックとを含む回転可能な磁気記録ディスクであって、前記データトラックのそれぞれが、半径方向で隣接するデータトラックから、磁性材料で形成されトラック方向に沿って磁化された領域を含むガードバンドにより分離されている磁気記録ディスクと、
前記データトラックにおいて前記磁性材料内でクロストラック方向に磁界を生成するための誘導型書込みヘッドと、
前記書込みヘッドにより前記データトラックに書き込まれた前記クロストラック磁化を検出するための読取りヘッドと、
前記書込みヘッドおよび前記読取りヘッドを支持するための担体と、
前記書込みヘッドおよび前記読取りヘッドを、読み書きするために選択されたデータトラックへ位置決めするために前記担体を支持するアクチュエータと、
を有することを特徴とする磁気記録ディスクドライブ。
【請求項２】
前記ガードバンドの磁性材料が前記データトラックの磁性材料から後退しており、前記データトラックの表面および隣接する前記ガードバンドの表面が実質的には同一平面上にないことを特徴とする請求項１記載のディスクドライブ。
【請求項３】
基板と、該基板上の磁性材料の概ね同心円の複数のデータトラックとを含む回転可能な磁気記録ディスクであって、前記データトラックのそれぞれが、半径方向で隣接するデータトラックからガードバンドにより分離されている磁気記録ディスクと、
前記データトラックにおいて前記磁性材料内でクロストラック方向に磁界を生成するための誘導型書込みヘッドと、
前記誘導型書込みヘッドにより前記データトラックに書き込まれた前記クロストラック磁化を検出するための読取りヘッドと、
前記誘導型書込みヘッドと読取りヘッドを支持し、ディスクに向く表面と、該ディスクに向く表面に実質的に直交する後縁面とを有するスライダと、
前記誘導型書込みヘッドおよび前記読取りヘッドを、読み書きするために選択されたデータトラックへ位置決めするためのアクチュエータであって、前記スライダをその後縁面が前記クロストラック方向に対して実質的に平行になるように支持するアクチュエータと、を有し
前記誘導型書込みヘッドが前記スライダの後縁面上に設置され、書込み磁極とこれらの書込み磁極の間にある書込みギャップとを有し、前記書込み磁極および書込みギャップが実質的に同一平面内にあり、前記平面が前記スライダの後縁面と平行であり、前記書込みギャップを横切る磁界が前記スライダの後縁面に対して実質的に平行なクロストラック方向に配向されることを特徴とする磁気記録ディスクドライブ。
【請求項４】
前記ガードバンドが磁性材料で形成され、前記誘導型書込みヘッドが消去磁極を含み、該消去磁極は前記後縁面に直交する方向に前記書込み磁極から消去ギャップ分だけ離間しており、前記消去ギャップを横切る磁界が、前記スライダの後縁面に実質的に直交するトラックに沿った方向に配向されて、前記ガードバンドの磁性材料をトラックに沿った方向に磁化することを特徴とする請求項３記載のディスクドライブ。
【請求項５】
前記書込みヘッドが書込みシールドをさらに有し、前記消去磁極が前記書込みシールドから延びる２つの側部消去磁極を有することを特徴とする請求項４記載のディスクドライブ。
【請求項６】
前記消去磁極が単一の消去磁極を有し、該単一の消去磁極は前記スライダの後縁面に対して概ね平行な方向で前記書込みギャップに概ね位置合わせされているとともに、前記スライダの後縁面に実質的に直交する方向に前記書込みギャップから離間していることを特徴とする請求項４記載のディスクドライブ。
【請求項７】
基板と、該基板上の磁性材料の概ね同心円の複数のデータトラックとを含む回転可能な磁気記録ディスクであって、前記データトラックのそれぞれが、半径方向で隣接するデータトラックからガードバンドにより分離されている磁気記録ディスクと、
前記データトラックにおいて前記磁性材料内でクロストラック方向に磁界を生成するための誘導型書込みヘッドと、
前記誘導型書込みヘッドにより前記データトラックに書き込まれた前記クロストラック磁化を検出するための読取りヘッドと、
前記誘導型書込みヘッドと読取りヘッドを支持し、ディスクに向く表面と、該ディスクに向く表面に実質的に直交する後縁面とを有するスライダと、
前記誘導型書込みヘッドおよび前記読取りヘッドを、読み書きするために選択されたデータトラックへ位置決めするためのアクチュエータであって、前記スライダをその後縁面が前記クロストラック方向に対して実質的に平行になるように支持するアクチュエータと、を有し、
前記読取りヘッドは前記後縁面上に形成された磁気抵抗読取りヘッドであり、該磁気抵抗読取りヘッドが、
外部磁界が存在しない場合、面内磁化方向は前記スライダのディスクに向く表面に対して実質的に垂直に配向されており、前記データトラック内にクロストラック磁化からの磁界が存在する場合、面内磁化方向が実質的に回転自在である強磁性の自由層であって、前記クロストラック方向での幅を画定する第一および第二端部を有する自由層と、
前記スライダのディスクに向く表面に対して実質的に平行に配向されている面内磁化方向を有する強磁性の固定層と、
前記自由層と固定層との間にある非磁性のスペーサ層と、
前記自由層端部に対応して配置された透磁性材料の第一および第二側部シールドと、
を有することを特徴とする磁気記録ディスクドライブ。
【請求項８】
前記磁気抵抗読取りヘッドが膜面平行通電型（ＣＩＰ型）読取りヘッドであることを特徴とする請求項７記載のディスクドライブ。
【請求項９】
前記磁気抵抗読取りヘッドが膜面垂直通電型（ＣＰＰ型）読取りヘッドであることを特徴とする請求項７記載のディスクドライブ。
【請求項１０】
基板と、該基板上の磁気記録層とを含む回転可能な磁気記録ディスクであって、前記磁気記録層が磁性材料で形成されトラック方向に沿って磁化された領域を含む同心円の複数のガードバンドで互いに磁気的に分離された概ね同心円の複数のデータトラックを有する磁気記録ディスクと、
前記データトラック内でクロストラック方向に磁界を生成するための誘導型書込みヘッドと、
を有することを特徴とする磁気記録ディスクドライブ。
【請求項１１】
前記磁気記録層と前記ガードバンドの磁性材料が前記基板上に磁性材料の連続層を形成することを特徴とする請求項１０記載のディスクドライブ。
【請求項１２】
前記ガードバンドの磁性材料が前記データトラックから後退しており、前記データトラックの表面および隣接する前記ガードバンドの表面が実質的には同一平面上にないことを特徴とする請求項１０記載のディスクドライブ。
【請求項１３】
前記書込みヘッドを支持するためのスライダと、選択されたデータトラックに前記書込みヘッドを位置決めするために前記スライダを支持するアクチュエータとをさらに含み、前記スライダはディスクに向く表面と該ディスクに向く表面に実質的に直交する後縁面とを有し、前記アクチュエータが前記スライダをその後縁面が前記クロストラック方向に対して実質的に平行になるように支持し、前記書込みヘッドが前記スライダの後縁面上に設置されていることを特徴とする請求項１０記載のディスクドライブ。
【請求項１４】
前記誘導型書込みヘッドが書込み磁極とこれらの書込み磁極間にある書込みギャップとを含み、前記書込み磁極および書込みギャップが実質的に同一平面内にあり、前記平面が前記スライダの後縁面と平行であり、前記書込みギャップを横切る磁界が前記データトラック内にクロストラック磁化を作り出すことを特徴とする請求項１３記載のディスクドライブ。
【請求項１５】
前記誘導型書込みヘッドが、前記後縁面に直交する方向に前記書込み磁極から消去ギャップ分だけ離間している消去磁極を含み、前記書込みギャップを横切って生成された磁界がデータトラック内にクロストラック磁化を作り出す場合、前記消去ギャップを横切る磁界も生成されて前記データトラックに隣接するトラックに沿って磁化を作り出し、前記トラックに沿った磁化が、半径方向で隣接するデータトラックを磁気分離することを特徴とする請求項１４記載のディスクドライブ。
【請求項１６】
前記書込みヘッドが書込みシールドをさらに有し、前記消去磁極は前記書込みシールドから延びる２つの側部消去磁極を有することを特徴とする請求項１５記載のディスクドライブ。
【請求項１７】
前記消去磁極が単一の消去磁極を有し、該単一の消去磁極が前記スライダの後縁面に対して概ね平行な方向で前記書込みギャップに概ね位置合わせされているとともに、前記スライダの後縁面に実質的に直交する方向に前記書込みギャップから離間していることを特徴とする請求項１５記載のディスクドライブ。
【請求項１８】
基板と、該基板上の磁気記録層とを含む回転可能な磁気記録ディスクであって、前記磁気記録層がクロストラック磁化を含む概ね同心円の複数のデータトラックを有し、該同心円のデータトラックが、磁性材料で形成されトラック方向に沿って磁化された領域を含む同心円の複数のガードバンドで互いに磁気的に分離されている磁気記録ディスクと、
前記データトラック内の前記クロストラック磁化を検出するための読取りヘッドと、
を有することを特徴とする磁気記録ディスクドライブ。
【請求項１９】
前記磁気記録層と前記ガードバンドの前記磁性材料が前記基板上に磁性材料の連続層を形成することを特徴とする請求項１８記載のディスクドライブ。
【請求項２０】
前記ガードバンドの前記磁性材料が前記データトラックから後退しており、前記データトラックの表面および隣接する前記ガードバンドの表面が実質的には同一平面上にないことを特徴とする請求項１８記載のディスクドライブ。
【請求項２１】
前記読取りヘッドを支持するためのスライダと、選択されたデータトラックに前記読取りヘッドを位置決めするために前記スライダを支持するアクチュエータとをさらに有し、前記スライダはディスクに向く表面と該ディスクに向く表面に実質的に直交する後縁面とを有し、前記アクチュエータが前記スライダをその後縁面が前記クロストラック方向に対して実質的に平行になるように支持し、前記読取りヘッドは前記後縁面上に形成された磁気抵抗読取りヘッドであり、前記磁気抵抗読取りヘッドが、
外部磁界が存在しない場合、面内磁化方向は前記スライダのディスクに向く表面に対して実質的に垂直に配向されており、前記データトラック内にクロストラック磁化からの磁界が存在する場合、面内磁化方向が実質的に回転自在である強磁性の自由層と、
前記スライダのディスクに向く表面に対して実質的に平行に配向されている面内磁化方向を有する強磁性の固定層と、
前記自由層と固定層との間にある非磁性のスペーサ層と、
を有することを特徴とする請求項１８記載のディスクドライブ。
【請求項２２】
前記自由層は前記クロストラック方向での幅を画定する第一および第二端部を有し、前記磁気抵抗読取りヘッドは透磁性材料の第一および第二側部シールドをさらに含み、各側部シールドは対応する自由層の端部に設置されていることを特徴とする請求項２１記載のディスクドライブ。
【請求項２３】
前記磁気抵抗読取りヘッドが膜面平行通電型（ＣＩＰ型）読取りヘッドであることを特徴とする請求項２１記載のディスクドライブ。
【請求項２４】
前記磁気抵抗読取りヘッドが膜面垂直通電型（ＣＰＰ型）読取りヘッドであることを特徴とする請求項２１記載のディスクドライブ。
【請求項２５】
ディスクに向く表面と、該ディスクに向く表面に実質的に直交する後縁面とを有するヘッド担体と、
前記後縁面上に形成された磁気抵抗読取りヘッドであって、外部磁界が存在しない場合、面内磁化方向は前記ディスクに向く表面に対して実質的に垂直に配向されており、磁界が存在する場合、面内磁化方向が実質的に回転自在である強磁性の自由層と、前記ディスクに向く表面に対して実質的に平行に配向されている面内磁化方向を有する強磁性の固定層と、前記自由層と固定層との間にある非磁性のスペーサ層と、を有する磁気抵抗読取りヘッドと、
を有することを特徴とするヘッドアセンブリ。
【請求項２６】
前記自由層は前記ディスクに向く表面に実質的に平行な方向での幅を画定する第一および第二端部を有し、前記磁気抵抗読取りヘッドは透磁性材料の第一および第二側部シールドをさらに有し、各側部シールドは対応する自由層端部に設置されていることを特徴とする請求項２５記載のヘッドアセンブリ。
【請求項２７】
前記磁気抵抗読取りヘッドが膜面平行通電型（ＣＩＰ型）読取りヘッドであることを特徴とする請求項２５記載のヘッドアセンブリ。
【請求項２８】
前記磁気抵抗読取りヘッドが膜面垂直通電型（ＣＰＰ型）読取りヘッドであることを特徴とする請求項２５記載のヘッドアセンブリ。
【請求項２９】
前記磁気抵抗読取りヘッドが磁気トンネル接合（ＭＴＪ）読取りヘッドであり、前記非磁性のスペーサ層が電気的に絶縁性のトンネル障壁であることを特徴とする請求項２８記載のヘッドアセンブリ。
【請求項３０】
前記後縁面上に誘導型書込みヘッドを含むことを特徴とする請求項２５記載のヘッドアセンブリ。
【請求項３１】
ディスクに向く表面と、該ディスクに向く表面に実質的に直交する後縁面とを有するヘッド担体と、
前記後縁面上に形成された磁気抵抗読取りヘッドであって、前記ディスクに向く表面に実質的に平行な方向での幅を画定する第一および第二端部を有し、外部磁界が存在しない場合、面内磁化方向は前記ディスクに向く表面に対して実質的に垂直に配向されており、磁界が存在する場合、面内磁化方向が実質的に回転自在である強磁性の自由層と、前記ディスクに向く表面に対して実質的に平行に配向されている面内磁化方向を有する強磁性の固定層と、前記自由層と固定層との間にある非磁性のスペーサ層と、前記自由層端部に対応して設置された透磁性材料の第一および第二側部シールドと、を有する磁気抵抗読取りヘッドと、
を有することを特徴とするヘッドアセンブリ。
【請求項３２】
前記磁気抵抗読取りヘッドが膜面平行通電型（ＣＩＰ型）読取りヘッドであることを特徴とする請求項３１記載のヘッドアセンブリ。
【請求項３３】
前記磁気抵抗読取りヘッドが膜面垂直通電型（ＣＰＰ型）読取りヘッドであることを特徴とする請求項３１記載のヘッドアセンブリ。
【請求項３４】
前記磁気抵抗読取りヘッドが磁気トンネル接合（ＭＴＪ）読取りヘッドであり、前記非磁性のスペーサ層が電気的に絶縁性のトンネル障壁であることを特徴とする請求項３３記載のヘッドアセンブリ。
【請求項３５】
前記後縁面上に誘導型書込みヘッドを含むことを特徴とする請求項３１記載のヘッドアセンブリ。
【請求項３６】
ディスクに向く表面と、該ディスクに向く表面に実質的に直交する後縁面とを有するヘッド担体と、
前記後縁面上に配置された誘導型書込みヘッドであって、書込みギャップにより隔てられ、該書込みギャップとともに前記後縁面に実質的に平行な面内にあり、前記ディスクに向く表面に配置された磁極片を有する２つの書込み磁極と、消去ギャップにより前記後縁面に直交する方向に前記書込み磁極から隔てられた消去磁極と、前記後縁面に実質的に平行な方向に前記書込みギャップを横切る磁界を誘導し、前記後縁面に実質的に直交する方向に前記消去ギャップを横切る消去磁界を誘導するために前記書込み磁極と消去磁極に結合された電気的に導電性のコイルとを有する誘導型書込みヘッドと、
を有することを特徴とするヘッドアセンブリ。
【請求項３７】
前記書込みヘッドが書込みシールドをさらに有し、前記消去磁極が前記書込みシールドから延びる２つの側部消去磁極を有することを特徴とする請求項３６記載のヘッドアセンブリ。
【請求項３８】
前記消去磁極が単一の消去磁極を有し、該単一の消去磁極は前記後縁面に対して概ね平行な方向で前記書込みギャップに概ね位置合わせされているとともに、前記スライダの後縁面に実質的に直交する方向に前記書込みギャップから離間していることを特徴とする請求項３６記載のヘッドアセンブリ。
【請求項３９】
前記コイルはコイルセグメントの第１の層とコイルセグメントの第２の層を有し、前記２つの磁極は前記コイルセグメントの第１の層の上にヨーク層を形成するために接続され、前記第１の層のコイルセグメントの端部は、前記ヨーク層を囲む前記コイルを形成するために前記第２の層のコイルセグメントの端部に接続されることを特徴とする請求項３６記載のヘッドアセンブリ。
【請求項４０】
第１の書込み磁極は前記後縁面に形成され、前記コイルは前記第１の書込み磁極の部分上にパターン化された螺旋状の層であり、前記第２の書込み磁極は前記螺旋状コイル層の部分上に形成され、そしてヨークを形成するために前記第１の書込み磁極に接続され、該螺旋状コイル層は前記第１及び第２の書込み磁極の間に配置されることを特徴とする請求項３６記載のヘッドアセンブリ。
【請求項４１】
前記後縁面上に配置された読取りヘッドをさらに有することを特徴とする請求項３６記載のヘッドアセンブリ。
【請求項４２】
前記読取りヘッドは、磁気抵抗読取りヘッドであることを特徴とする請求項４１記載のヘッドアセンブリ。
【請求項４３】
前記磁気抵抗読取りヘッドが膜面平行通電型（ＣＩＰ型）読取りヘッドであることを特徴とする請求項４２記載のヘッドアセンブリ。
【請求項４４】
前記磁気抵抗読取りヘッドが膜面垂直通電型（ＣＰＰ型）読取りヘッドであることを特徴とする請求項４２記載のヘッドアセンブリ。